(57)【特許請求の範囲】
【請求項１】
隧道の側壁に固着される取付座と、この取付座に枢支される可動台座と、この可動台座を前記取付座に角度調整自在に支持する調整部材と、前記可動台座に下端が固着される碍子と、この碍子の上端部に固着されるき電線把持部材とを具備し、
前記取付座は、取付状態において水平に支持される第１軸と、第１軸の上部に間隔を置いて水平に支持される第２軸と、隧道の側壁に沿って上下方向に沿線される保護線を把持するための把持金具とを具備し、
前記調整部材は、一端側において前記取付座の第１軸に枢支され、中間において前記可動台座を貫通するねじ棒と、これに螺合されて可動台座を固定する一対のナットとからなり、
前記可動台座は、一端側において前記取付座の第２軸に枢支され、前記ねじ棒を貫通させる長孔を具備し、この長孔にねじ棒を貫通させてナットにて角度調整可能に固定されることを特徴とする隧道内のき電線支持装置。
【請求項２】
前記取付座は、前記第１軸を受ける一対のブラケットと、前記第２軸を受ける他の一対のブラケットとを具備し、
前記ねじ棒は、前記第１軸に左右に離れて一対設けられ、
前記可動台座は、前記ねじ棒を貫通させる前記長孔を左右に一対有し、
前記碍子は、前記一対のねじ棒の間に位置して前記可動台座上に下端が固着されることを特徴とする請求項１に記載の隧道内のき電線支持装置。
【発明の詳細な説明】
【技術分野】
【０００１】
この発明は、電気鉄道の隧道内において、電車線に電力を供給するための電線であるき電線を隧道壁面に対して所定の絶縁距離を確保して支持するためのき電線支持装置に関する。
【背景技術】
【０００２】
従来、隧道内のき電線支持装置として、例えば特許文献１に記載されたものが知られている。図４に示すように、このき電線支持装置２１は、隧道の壁面Ｔに沿って延線されるき電線Ｗを挟んでそれの上方及び下方において壁面Ｔに上部取付金具２２及び下部取付金具２３を固定し、上部取付金具２２には上部碍子２４の上端を、下部取付金具２３には下部碍子２５の下端を夫々枢支し、上部碍子２４の下端と下部碍子２５の上端とを枢ピン２６で互いに枢着し、この枢ピン２６の一端側にき電線引留部材２７を設け、下部碍子２５と下部取付金具２３との間に、碍子２５の枢支位置を上下に調整する調整金具２８を介設させてなる。
【特許文献１】特開２００３−６１２１９号公報
【発明の開示】
【発明が解決しようとする課題】
【０００３】
上記従来のき電線支持装置は、上部碍子と下部取付金具の２つの碍子を用いるもので、比較的大きな設置スペースを要し、また部品点数が多く、これに応じて取り付け、調整の作業も手数を要する難点がある。
したがって、この出願に係る発明は、隧道の壁面に対する絶縁間隔を容易に調整できる小型で構造簡単なき電線支持装置を提供することを課題としている。
【課題を解決するための手段】
【０００４】
上記課題を解決するため、この出願に係る発明においては、隧道の側壁Ｔに固着される取付座２と、この取付座２に枢支される可動台座３と、この可動台座３を取付座２に角度調整自在に支持する調整部材４と、可動台座３に下端が固着される碍子５と、この碍子５の上端部に固着されるき電線把持部材６とを具備させてき電線支持装置１を構成する。取付座２は、取付状態において水平に支持される第１軸７と、第１軸の上部に間隔を置いて水平に支持される第２軸８とを具備する。調整部材４は、一端側において取付座２の第１軸７に枢支され、中間において可動台座３を貫通するねじ棒４ａと、これに螺合されて可動台座３を固定する一対のナット４ｂとからなる。可動台座３は、一端側において取付座２の第２軸８に枢支され、ねじ棒４ａを貫通させる長孔３ｃを具備し、この長孔３ｃにねじ棒４ａを貫通させてナット４ｂにて角度調整可能に固定される。
【発明の効果】
【０００５】
この出願に係る発明によれば、単一の碍子５のみを有し、可動台座３と調整部材４とにより、隧道の側壁Ｔに対する絶縁間隔を容易に調整できる小型で構造簡単なき電線支持装置を提供することができる。
【発明を実施するための最良の形態】
【０００６】
図面を参照してこの発明の実施の形態を説明する。図１は本発明のき電線支持装置の正面図、図２は同平面図、図３は同一部の斜視図である。
【０００７】
図において、き電線支持装置１は、取付座２と、可動台座３と、調整部材４と、碍子５と、き電線把持部材６とを具備する。
取付座２は、隧道の側壁Ｔにアンカボルト９で固着される。可動台座３は、一端側において取付座２に枢支される。調整部材４は、可動台座３を取付座２に対して角度調整自在に支持する。碍子５は、ほぼ円柱状のポリマー製で、下端が可動台座３に固着される。電線把持部材６は、碍子５の上端部に固着され、側壁Ｔに沿ってほぼ水平方向に延線されるき電線Ａを把持する。
取付座２は、側壁Ｔに沿うほぼ矩形板状の基板２ａと、取付状態において水平に第１軸７を支持する左右一対の第１ブラケット２ｂと、第１軸の上部に間隔を置いて第２軸８を水平に支持する左右一対の第２ブラケット２ｃと、基板２ａの上部一隅に設けられる起立片２ｄと具備する。起立片２ｄは、把持金具１１と協働して、隧道の側壁Ｔに沿って上下方向に沿線される保護線Ｂを把持する。
調整部材４は、ねじ棒４ａと、これに螺合される一対のナット４ｂとからなり、左右に一対設けられる。ねじ棒４ａは、一端側のアイ部４ｃにおいて取付座２の第１軸７に枢支され、中間において可動台座３を貫通し、一対のナット４ｂにより可動台座３に固定される。
可動台座３は、ほぼ矩形の基板３ａと、基板３ａの一辺の左右両端部に突出する一対のブラケット３ｂとを有し、ブラケット３ｂおいて取付座２の第２軸８に枢支される。基板３ａは、ねじ棒４ａを貫通させる長孔３ｃを具備し、この長孔３ｃにねじ棒４ａを貫通させてナット４ｂにて角度調整可能に固定される。碍子５は、基板３ａ上にボルト１０で固着される。
このき電線支持装置１においては、ねじ棒４ａ上のナット４ｂの位置を変更することにより、取付座２に対する可動台座３の角度を碍子５と一体に調整し、これにより側壁Ｔに対するき電線Ａの絶縁間隔を容易に調整できる。
【産業上の利用可能性】
【０００８】
この発明は、隧道内において、き電線を隧道壁面に対して所定の絶縁距離を確保して支持するためのき電線支持装置に適用される。
【図面の簡単な説明】
【０００９】
【図１】本発明に係るき電線支持装置の正面図である。
【図２】本発明に係るき電線支持装置の平面図である。
【図３】本発明に係るき電線支持装置の一部の斜視図である。
【図４】従来のき電線支持装置の一例を示す正面図である。
【符号の説明】
【００１０】
１      き電線支持装置
２      取付座
２ａ    基板
２ｂ    第１ブラケット
２ｃ    第２ブラケット
２ｄ    起立片
３      可動台座
３ａ    基板
３ｂ    ブラケット
３ｃ    長孔
４      調整部材
４ａ    ねじ棒
４ｂ    ナット
４ｃ    アイ部
５      碍子
６      き電線把持部材
７      第１軸
８      第２軸
９      アンカボルト
１０    ボルト
１１    把持金具
Ａ      き電線
Ｂ      保護線
Ｔ      側壁
【図１】
0005052283.tif 000002
【図２】
0005052283.tif 000003
【図３】
0005052283.tif 000004
【図４】
0005052283.tif 000005